(57)【要約】【課題】  孔に容易に軸を挿入出来、挿入された軸が自由に回転出来、引き抜き力にも耐えられる抜け止めと、回転を備えた構造。【解決手段】  メクラ孔部材1とこの内径孔部10に挿入される挿入軸3とこれらを連結及び挿入軸3の回転を可能とする連結抜け止め部材2から成る。メクラ孔への挿入軸の抜け止め回転構造において、拡縮部を備えた連結抜け止め部材2を、メクラ孔部材1の内径孔部10に圧入し、挿入軸3の環状の溝部7と、先端のテーパ形状8とで軸の挿入と抜け止め及び回転を図る。【選択図】    図１
2013160358.tif 000002
【特許請求の範囲】
【請求項１】
軸と、前記軸が挿入されるメクラ孔部を有する部材と、これらを回転可能に連結する連結抜け止め部材とを備え、前記連結抜け止め部材はメクラ孔内に圧入されて固定される固定部と、この固定部に一体的に設けられた係合バネ部を有し、前記係合バネ部は前記軸の挿入先端部に設けられたテーパ状頭部に押されて広がり、このテーパ状の頭部を通過させるように形成されていて、頭部が通過すると弾性的に縮まって、前記軸頭部の後側環状面と回転可能に抜け止め係合することを特徴とする挿入軸の連結抜け止め及び回転構造。
【請求項２】
前記固定部は環状体として形成され、前記連結抜け止め部材の前記係合バネ部は、前記環状体の先端側から後方に向かって内側に傾斜する、ことを特徴として延びている、少なくとも一対の係合片であることを特徴とする請求項1記載の挿入軸の連結抜け止め及び回転構造。
【請求項３】
前記係合片は放射状に設けられていることを特徴とする請求項2記載の挿入軸の連結抜け止め及び回転構造。
【請求項４】
前記固定部は固定リングであり、前記係合バネ部は前記固定リングに支えられた、一対の半円状線状部材から形成され、前記半円状線状部材のそれぞれは、両端部が線状支持部によって前記固定部に支えられていることを特徴とする請求項1記載の挿入軸の連結抜け止め及び回転構造。
【発明の詳細な説明】
【技術分野】
【０００１】
本発明は、メクラ孔へ挿入する軸の抜け止めと、回転を両立させる事を図った連結構造に関する。
【背景技術】
【０００２】
従来、メクラ孔へ軸の挿入連結で、軸の回転と抜け止めを両立させるには、その解決策として、軸抜け止め構造とその構造を備えた圧入装置（例えば、特許文献1参照）、軸の抜け止め装置（例えば、特許文献2参照）等々が提案されている。
【先行技術文献】
【特許文献】
【０００３】
【特許文献１】特開2003-220525号公報
【特許文献２】特開平10-287214号公報
【発明の概要】
【発明が解決しようとする課題】
【０００４】
上述の如く従来の軸の連結抜け止め及び回転構造においては、メクラ孔部を有する部材に横孔を穿設したり、部材側面に側孔を設けるなど、軸の溝に係合するピン等を固定する為、孔部を有する部材側面に精度の高い加工をする必要が有り、加工コストが高くなる等、多くの点に問題があった。
【０００５】
本発明は、このようなコストアップになるメクラ孔部材の側面よりの加工を無くし、メクラ孔部に連結抜け止め部材を圧入して、この連結抜け止め部材を介して軸を挿入するのみで、挿入軸の連結と抜け止めと回転を、容易に可能とする事を提供することを目的としている。
【課題を解決するための手段】
【０００６】
上記課題を解決するために、本発明のメクラ孔への挿入軸の連結抜け止め及び回転構造は、軸と前記軸が挿入されるメクラ孔を有する部材と、これらを回転可能に連結する連結抜け止め部材とを備え、前記連結抜け止め部材はメクラ孔内に圧入されて固定される固定部と、この固定部に一体的に設けられた係合バネ部を有し、前記係合バネ部は前記軸の挿入先端部に設けられたテーパ状頭部に押されて広がり、このテーパ状の頭部を通過させるように形成されていて、頭部が通過すると弾性的に縮まって、前記軸頭部の後側環状面と回転可能に抜け止め係合することを特徴とした、挿入軸の連結抜け止め及び回転構造である。
本発明の構造では、前記軸が挿入される前記メクラ孔部材の加工は前記軸が挿入される孔加工のみでよく、この孔の中に前記連結抜け止め部材を圧入し、その後前記軸を挿入することでこれらを回転可能に連結して前記軸の抜け止めを可能に出来る事を特徴としている。
【発明の効果】
【０００７】
本発明のメクラ孔への挿入軸の連結抜け止め及び回転構造は、メクラ孔部材の横孔加工
をする事が無い為、メクラ孔部材の外形が丸形状の物でも、連結抜け止め部材を孔に圧入するだけで容易に軸とメクラ孔部材を連結する事が出来る。従来のメクラ孔部材に横孔を開けてピンを圧入する構造の場合、外形の丸形状の頂点より芯をずらして開けなければならず、横穴加工をする際、穴を垂直に開ける事が困難である、本発明はこの難点も解決できる。
【０００８】
さらに、メクラ孔端部が完全に密封形状の形状であれば、孔部にグリス等潤滑材を封入出来、軸の回転による孔と軸の焼付き等を防止する事が容易に可能となる。
【図面の簡単な説明】
【０００９】
【図１】は本発明に係るメクラ孔への挿入軸の連結抜け止め及び回転構造の、実施の一例で、連結抜け止め部材が環状体を示す縦断面図である。
【図２】は本発明に係るメクラ孔への挿入軸の連結抜け止め及び回転構造の、実施の一例で、連結抜け止め部材が環状体を示し、挿入軸の挿入過程を示す縦断面図である。
【図３】は本発明に係るメクラ孔への挿入軸の連結抜け止め及び回転構造の、実施の一例で、連結抜け止め部材が線状体を示す縦断面図である。
【図４】は図３で示した線状体の連結抜け止め部材の係合バネ部が、軸の溝部に入り縮径し、連結した状態を示す横断面図である。
【図５】は本発明に係るメクラ孔への挿入軸の連結抜け止め及び回転構造の、実施の一例で、連結抜け止め部材が線状体を示し、挿入軸の挿入過程を示す縦断面図である。
【図６】は図５で示した線状体の連結抜け止め部材の係合バネ部が、軸先端のテーパ状頭部で広げられた状態を示す横断面図である。
【図７】は本発明に係るメクラ孔への挿入軸の連結抜け止め及び回転構造の、連結抜け止め部材が環状体の一例を示す斜視図である。
【図８】は本発明に係るメクラ孔への挿入軸の連結抜け止め及び回転構造の、連結抜け止め部材が線状体の一例を示す斜視図である。
【図９】は本本発明に係るメクラ孔への挿入軸の連結抜け止め及び回転構造の、挿入軸部材のメクラ孔への挿入部分の一例を示す斜視図である。
【発明を実施するための形態】
【００１０】
以下、本発明の実施の一形態を図１〜図９に基づいて説明する。
【００１１】
図１は本発明に係るメクラ孔への挿入軸の連結抜け止め及び回転構造の、実施の一例で、連結抜け止め部材2が環状体を示す縦断面図である。
先ず、図1において、図示の外形丸形状になるように所定金属材料等を用いて機械加工などで準備されたメクラ孔部材1の内径孔部10に連結抜け止め部材2が圧入される。この内径孔部は所定の圧入公差となるように内周面が加工されている、この圧入孔はメクラ孔として形成されており、メクラ孔端部12が圧入される連結抜け止め部材2の圧入位置決めとなる。
【００１２】
また、この連結抜け止め部材2は弾性のあるバネ材等で作られ、外径部分に所定の公差
範囲内に加工された外周面を有する圧入部4が形成されている。その外周部と一体成形で内側に曲げ成形されたテーパ状の係合バネ部5にスリット6が形成され、このスリット6が形成される事により、係合バネ部5が弾性を有し、拡縮する構造になっている
【００１３】
また、メクラ孔部材1に圧入された連結部材2の係合バネ部5に挿入される挿入軸3の先端の側面には溝7を設けその側面先端はテーパ形状8とし、テーパ大径部端に環状面9を設けた。この挿入軸3が挿入されるメクラ孔部材1の内径孔部10との勘合部11には隙間公差をもたせる。                                                                        
【００１４】
連結抜け止め部材2を圧入されたメクラ孔部材1に挿入軸3を挿入する事で、軸の先端部テーパ形状8で連結部材2の係合バネ部5を拡径し環状面9が係合バネ部5を通過し溝部7の位置で拡径した係合バネ部5の拡縮部が縮径し環状面9で係合バネ部5の拡縮部の拡径を防止し挿入軸3が抜ける事を防止する、
【００１５】
又、メクラ孔部材1の内径孔部10と挿入軸3の勘合部11との隙間で挿入軸3は自由に回転が可能になる。
【００１６】
図2は連結抜け止め部材2が環状体で、挿入軸3が内径孔部10に挿入される過程の図で、軸先端部のテーパ形状8が連結抜け止め部材2の係合バネ部5を広げた状態の縦断面図である。
【００１７】
図3は本発明に係るメクラ孔への挿入軸の連結抜け止め及び回転構造の、実施の一例で、連結抜け止め部材2が線状体で、バネ線材等で成形された形状を示す縦断面図である。
【００１８】
図4は連結抜け止め部材2が線状体で、係合バネ部が軸の溝部に入り縮径し、連結した状態を示す横断面図である。
図5は本発明に係るメクラ孔への挿入軸の連結抜け止め及び回転構造の、実施の一例で、連結抜け止め部材2が線状体で、バネ線材等で成形された形状を示す縦断面図であり、挿入軸3のテーパ形状8で係合バネ部5を広げた状態の図である。
【００１９】
図6は図5で示した挿入軸3のテーパ形状8で係合バネ部5を広げた状態の横断面図である。
【００２０】
図7は本発明に係るメクラ孔への挿入軸3の連結抜け止め及び回転構造の、連結抜け止め部材2の圧入部4と係合バネ部5とスリット6を示す環状体の斜視図である。
【００２１】
図8は本発明に係るメクラ孔への挿入軸3の連結抜け止め及び回転構造の、連結部材2の一例で、バネ線材等で成形された形状を示す線状体の斜視図である。
【００２２】
図9は本発明に係るメクラ孔への挿入軸3の連結抜け止め及び回転構造の、挿入軸3の一例で、係合バネ部5を広げる軸先端部のテーパ部8、係合し軸の抜け止めの働きをする環状面9と溝部7を示す斜視図である。
【符号の説明】
【００２３】
1  メクラ孔部材                          10  内径孔部
2  連結抜け止め部材                      11  勘合部
3  挿入軸                                12  メクラ孔端部
4  圧入部                          
5  係合バネ部                                
6  スリット                              
7  溝部                          
8  テーパ形状                                
9  環状面                                
【図１】
2013160358.tif 000003
【図２】
2013160358.tif 000004
【図３】
2013160358.tif 000005
【図４】
2013160358.tif 000006
【図５】
2013160358.tif 000007
【図６】
2013160358.tif 000008
【図７】
2013160358.tif 000009
【図８】
2013160358.tif 000010
【図９】
2013160358.tif 000011